(57)【特許請求の範囲】
【請求項１】
時間軸を軌道として株式の売買ポイントをユーザが判断するために、株式の予め定められた固定の価格反転時期が示された標識表示部を表示するプログラムであって、
表示画面と、通信回線を介して株式の価格情報を受信する受信手段と、前記受信手段により受信した前記価格情報に基づいて、時間を横軸として所定期間内の前記価格情報をチャートで表示するチャート表示部を、前記表示画面に表示する価格情報表示手段と、を備えたコンピュータを、
時間を横軸として前記所定期間内における前記価格反転時期を示す標識が複数横に並んで表示された前記標識表示部であって、前記表示画面に表示された前記チャート表示部の前側に重ねて表示したときに前記標識表示部を通して前記チャート表示部を視認可能に構成された前記標識表示部を、前記表示画面に表示する標識表示手段、
として機能させ、
前記標識表示部は、左端部を前記所定期間における取引開始時刻、右端部を前記所定期間における取引終了時刻として、前記各標識が表示されるとともに、前記表示画面における大きさと表示位置とをそれぞれ変更可能とされ、前記標識表示部の横幅が伸縮されたとき、当該伸縮率と同じ伸縮率で前記標識同士の間隔が伸縮されるように構成されていることを特徴とするプログラム。
【請求項２】
前記コンピュータが内蔵する時計又はＷｅｂサーバから取得した現在時刻に基づいて、前記標識表示部に現在時刻を示す標識が表示され、当該現在時刻を示す標識は、時間の経過につれて移動するように構成されていることを特徴とする請求項１記載のプログラム。
【請求項３】
前記コンピュータを、
前記コンピュータが内蔵する時計又はＷｅｂサーバから取得した現在時刻に基づいて、現在時刻に最も近い前記価格反転時期までの時間を前記表示画面に表示することにより、当該価格反転時期までの時間をカウントダウンする手段、
として機能させることを特徴とする請求項１または２記載のプログラム。
【請求項４】
前記コンピュータを、
複数の期間から前記所定期間をユーザに選択させる手段、
として機能させることを特徴とする請求項１、２または３記載のプログラム。
【請求項５】
時間軸を軌道として株式の売買ポイントをユーザが判断するために、株式の予め定められた固定の価格反転時期が示された標識表示部を表示する装置であって、
表示画面と、
通信回線を介して株式の価格情報を受信する受信手段と、
前記受信手段により受信した前記価格情報に基づいて、時間を横軸として所定期間内の前記価格情報をチャートで表示するチャート表示部を、前記表示画面に表示する価格情報表示手段と、
時間を横軸として前記所定期間内における前記価格反転時期を示す標識が複数横に並んで表示された前記標識表示部を、前記表示画面に表示する標識表示手段と、
を備え、
前記標識表示部は、前記チャート表示部の前側に重ねて表示したときに前記標識表示部を通して前記チャート表示部を視認可能に、構成され、かつ、左端部を前記所定期間における取引開始時刻、右端部を前記所定期間における取引終了時刻として、前記各標識が表示されるとともに、前記表示画面における大きさと表示位置とをそれぞれ変更可能とされ、前記標識表示部の横幅が伸縮されたとき、当該伸縮率と同じ伸縮率で前記標識同士の間隔が伸縮されるように構成されていることを特徴とする装置。
【発明の詳細な説明】
【技術分野】
【０００１】
本発明は、株式、債券、為替、商品等の投機対象を売買する際の売買ポイント（売買タイミング）を判断するために用いるプログラム及び装置に関する。
【背景技術】
【０００２】
下記特許文献１には、相場全体の動向を把握するために、相場を構成する個々の銘柄の時系列データを、複数の時系列パターンのいずれかに分類し、すべての時系列パターンについて、その時系列パターンに該当する銘柄の個数の割合を着色面積で表すパターン割合表示部と、その時系列パターンのチャートを表すチャートパターン表示部とを、平面画面に所定のレイアウトで表示する相場情報表示装置が記載されている。
【先行技術文献】
【特許文献】
【０００３】
【特許文献１】特開２００３−１３２２１４号公報
【発明の概要】
【発明が解決しようとする課題】
【０００４】
しかし、上記従来の相場情報表示装置は、相場全体の動向を把握可能であるものの、個々の銘柄について、実際にいつ売買すべきかという売買タイミングの判断は困難であるという問題があった。特に、株式投資の方法の一つに、うねりながら上下する株価に沿って売り買いを小刻みに繰り返すスキャルピングと称される方法があり、この方法は損失を回避するには有効であるが、一方で売買のタイミングを的確に掴むことは困難であるという問題があった。
【０００５】
本発明は、上述した問題を解決するためのものであり、株式を売買する際の売買タイミングを容易に判断可能なプログラム及び装置を提供することを目的とする。
【課題を解決するための手段】
【０００６】
本発明者は株式市場の動きを分析して、株価は、銘柄に拠らず、一日の取引の中で略決まった時期に反転する（上昇していた株価が下降に転じる、あるいは、下降していた株価が上昇に転じる）ことを知見して、この知見に基づき、次のようなプログラム及び装置を発明した。なお、株式の価格が所定期間の中で略決まった時期に反転することは、所定期間を一日ではなく一週間あるいは一年間としても、該当すると推察されるため、本発明は、一日間のみならず一週間あるいは一年間等、任意の期間（時間）における取引にも適用可能である。
【０００７】
本発明のプログラムは、時間軸を軌道として株式の売買ポイントをユーザが判断するために、株式の予め定められた固定の価格反転時期が示された標識表示部を表示するプログラムであって、表示画面と、通信回線を介して株式の価格情報を受信する受信手段と、前記受信手段により受信した前記価格情報に基づいて、時間を横軸として所定期間内の前記価格情報をチャートで表示するチャート表示部を、前記表示画面に表示する価格情報表示手段と、を備えたコンピュータを、時間を横軸として前記所定期間内における前記価格反転時期を示す標識が複数横に並んで表示された前記標識表示部であって、前記表示画面に表示された前記チャート表示部の前側に重ねて表示したときに前記標識表示部を通して前記チャート表示部を視認可能に構成された前記標識表示部を、前記表示画面に表示する標識表示手段、として機能させ、前記標識表示部は、左端部を前記所定期間における取引開始時刻、右端部を前記所定期間における取引終了時刻として、前記各標識が表示されるとともに、前記表示画面における大きさと表示位置とをそれぞれ変更可能とされ、前記標識表示部の横幅が伸縮されたとき、当該伸縮率と同じ伸縮率で前記標識同士の間隔が伸縮されるように構成されていることを特徴とする。
【０００８】
このプログラムをコンピュータにインストールし、標識表示部を通して、証券会社から配信される株価チャートを見れば、その株価チャートにあたかも価格反転時期を示す標識を貼り付けたように見えて、価格反転時期がいつ頃到来するのかが分かり易く、売買タイミングを容易に判断できる。
【００１０】
また、標識表示部の大きさや表示位置を、標識表示部を重ねる対象であるチャート表示部の大きさや表示位置に合わせて、変更することができ、例えば株価チャートは配信元によって全体の大きさや表示位置が異なり得るが、そのような種々の株価チャートにも対応可能である。
【００１１】
ここで、前記コンピュータが内蔵する時計又はＷｅｂサーバから取得した現在時刻に基づいて、前記標識表示部に現在時刻を示す標識が表示され、当該現在時刻を示す標識は、時間の経過につれて移動するように構成されていることが好ましい。
また、前記コンピュータを、前記コンピュータが内蔵する時計又はＷｅｂサーバから取得した現在時刻に基づいて、現在時刻に最も近い前記価格反転時期までの時間を前記表示画面に表示することにより、当該価格反転時期までの時間をカウントダウンする手段、として機能させることとしてもよい。
さらに、前記コンピュータを、複数の期間から前記所定期間をユーザに選択させる手段、
として機能させることとしてもよい。
【００１２】
本発明の装置は、時間軸を軌道として株式の売買ポイントをユーザが判断するために、株式の予め定められた固定の価格反転時期が示された標識表示部を表示する装置であって、表示画面と、通信回線を介して株式の価格情報を受信する受信手段と、前記受信手段により受信した前記価格情報に基づいて、時間を横軸として所定期間内の前記価格情報をチャートで表示するチャート表示部を、前記表示画面に表示する価格情報表示手段と、時間を横軸として前記所定期間内における前記価格反転時期を示す標識が複数横に並んで表示された前記標識表示部を、前記表示画面に表示する標識表示手段と、を備え、前記標識表示部は、前記チャート表示部の前側に重ねて表示したときに前記標識表示部を通して前記チャート表示部を視認可能に、構成され、かつ、左端部を前記所定期間における取引開始時刻、右端部を前記所定期間における取引終了時刻として、前記各標識が表示されるとともに、前記表示画面における大きさと表示位置とをそれぞれ変更可能とされ、前記標識表示部の横幅が伸縮されたとき、当該伸縮率と同じ伸縮率で前記標識同士の間隔が伸縮されるように構成されていることを特徴とする。
【００１３】
これによれば、価格反転時期を示す標識が表示された標識表示部を通して、チャートを視認できるため、チャートに価格反転時期を示す標識を貼り付けたように見えて、価格反転時期がいつ頃到来するのかが分かり易く、売買タイミングを容易に判断できる。
【００１５】
また、チャート表示部の大きさや表示位置に合わせて、標識表示部の大きさや表示位置を変更することができるので、価格情報を配信する配信元によって大きさや表示位置が異なり得る種々のチャート表示部に対応可能である。
【発明の効果】
【００１６】
本発明によれば、株式を売買する際の売買タイミングを容易に判断可能である。
【図面の簡単な説明】
【００１７】
【図１】本発明の一実施形態に係る装置の構成を示すブロック図である。
【図２】同実施形態に係る時間軸表示フォームを示す図である。
【図３】同実施形態に係るチャート表示部を含むＷｅｂページが表示された表示画面の図である。
【図４】図２の時間軸表示フォームと図３のＷｅｂページとを同時に表示したときの表示画面の図である。
【図５】同実施形態に係る時間軸表示処理のフローチャートである。
【図６】同実施形態に係る画面描画処理のフローチャートである。
【図７】図４の状態から時間軸表示フォームを移動したときの表示画面の図である。
【図８】図７の状態から時間軸表示フォームの大きさを伸縮したときの表示画面の図である。
【図９】図８の状態から時間が経過したときの表示画面の図である。
【図１０】図９の状態から一日の取引時間が経過したときの表示画面の図である。
【図１１】同実施形態に係るメニュー部の図であり、（ａ）は時間軸表示フォームを１つだけ表示するとき、（ｂ）は時間軸表示フォームを２つ表示するときを示す。
【図１２】時間軸表示フォームを２つ表示した表示画面の例である。
【発明を実施するための形態】
【００１８】
以下、本発明の一実施形態を図面に基づいて説明する。
【００１９】
実施形態では、投機対象を株式とする。実施形態に係る装置１は、時間軸を軌道として売買ポイントを判断するために用いるものであり、パーソナル・コンピュータからなり、図１に示すように、入力装置１１、演算制御装置１２、記憶装置１３、通信装置１４、及び、表示装置１５を備えている。ここで、「時間軸を軌道として売買ポイントを判断する」とは、「時間軸上に並ぶ価格反転時期（すなわち、反転ポイント）に、時間軸を軌道として移動する現在時刻が到達することに基づいて売買の判断をする」という意である。装置１は、インターネットを介して株価配信サーバ９に接続される。株価配信サーバ９は、株式市場における各銘柄の株価情報を配信するサーバであり、証券会社に設けられている。
【００２０】
入力装置１１は、マウス等のポインティング・デバイス、キーボード等から構成されて、ユーザの操作に応じて各種情報や各種指令等を演算制御装置１２に入力する。
【００２１】
演算制御装置１２は、ＣＰＵ、ＣＰＵのワークエリアとなるＲＡＭ、固定データを記憶したＲＯＭ等から構成される。
【００２２】
記憶装置１３は、半導体メモリ、ハードディスク装置、コンパクト・ディスク装置等から構成されている。
【００２３】
通信装置１４は、通信回線を介して、装置１と株価配信サーバ９等の他のコンピュータとを接続するときのインタフェースとなる部分であり、演算制御装置１２と協働して、通信回線（実施形態では、インターネット）を介して投機対象の価格情報を受信する受信手段として機能する。
【００２４】
表示装置１５は、液晶ディスプレイ等からなり、画像を表示する表示面となる表示画面１６を有し、演算制御装置１２からの表示命令に応じて各種画像を、表示画面１６に表示する。表示装置１５は、演算制御装置１２と協働して、上記受信手段により受信した価格情報に基づいて、後述するチャート表示部３１を表示画面１６に表示する価格情報表示手段、及び、後述する標識表示部２１を表示画面１６に表示する標識表示手段として機能する。
【００２５】
装置１には、ＯＳ（オペレーティング・システム）としてWindows（マイクロソフト社の登録商標）がインストールされるとともに、Windows上で動作する時間軸表示プログラム及びＷｅｂブラウザがインストールされている。
【００２６】
時間軸表示プログラムは、時間軸を軌道として売買ポイントを判断するために用いるプログラムであって、装置１を、上記標識表示手段として機能させるためのプログラムであり、記憶装置１３に記憶されている。詳しくは、時間軸表示プログラムは、Visual Studio（マイクロソフト社の商標又は登録商標）のWindowsフォームを用いて作成したアプリケーション・プログラムであり、起動時に、図１１に示すメニュー部４を表示し、このメニュー部４においてユーザが選択した内容に従って、図２に示すような時間軸表示フォーム２を表示するように構成されている。Windowsフォームは、メニュー部４や時間軸表示フォーム２のようなフォーム（ウィンドウ）を表示するアプリケーション・プログラムを作成するためのソフトウェアであり、表示されるフォームについて、種々のボタンやテキストボックス等のコントロールを配置可能であり、フォーム全体あるいはフォームに配置されたコントロールに対して種々のプロパティを設定可能である。
【００２７】
時間軸表示フォーム２では、フォームのサイズのプロパティ（Form Border Styleプロパティ）を「Sizable（可変）」にすることにより、サイズ（大きさ）が変更（拡大・縮小）可能とされ、フォームの透明度のプロパティ（Opacityプロパティ）を「0.0（完全に透明）」にすることにより、時間軸表示フォーム２に設けられている標識表示部２１の背景色（地色）が透明とされて、表示画面１６における標識表示部２１の背後の画像が視認可能とされている。すなわち、標識表示部２１は、表示画面１６に表示された他の画像の前側に重ねて表示したときに、標識表示部２１を通して（すなわち、背景部分を透かして）他の画像を視認可能である。また、時間軸表示フォーム２には、時間軸表示フォーム２を最小化する（すなわち、表示画面１６上には表示しない）ためのボタン２８が配置されている。
【００２８】
また、メニュー部４は、サイズは可変であるが、背景色は不透明とされ、背後の画像が透けて見えることはないように構成されている。メニュー部４には、表示画面１６上に表示する時間軸表示フォーム２の数を選択するための表示数選択部４０が設けられ、表示数選択部４０で選択された数に応じて種類設定部４１が設けられる。すなわち、最初にメニュー部４が表示されたとき、図１１（ａ）に示すように表示数選択部４０において「１」が選択され、種類設定部４１は１つだけ表示された状態であるが、図１１（ｂ）に示すように表示数選択部４０で「２」を選択すると、種類設定部４１がもう１つ表示されて２つとなる。
【００２９】
種類設定部４１は、時間軸表示フォーム２の種類を設定するためのものであり、地域を選択するための地域選択部４３、期間を選択するための期間選択部４４、選択された地域における現在時刻から選択された期間内での次の価格反転時期までの時間を表示するカウントダウン部４２、及び、選択を確定するためのボタン４５が設けられている。地域選択部４３は、投機対象が取引される市場の時間を定める地域を選択するものであり、「日本」、「香港」等が選択できる。期間選択部４４は、標識表示部２１の横幅Ｗで表す期間を選択するものであり、一日か午前（前場）か午後（後場）かが選択できるが、地域によっては午前と午後に取引が分かれていない場合もあるので、地域選択部４３において選択された地域によって、選択できる期間は異なるように構成される。
【００３０】
Windowsフォームで作成されたアプリケーション・プログラムにより表示されるフォームは、表示画面１６上で移動可能とされているため、メニュー部４及び時間軸表示フォーム２は表示画面１６上で移動可能、すなわち、表示位置を変更可能である。
【００３１】
また、Windowsフォームでは、ユーザが何らかの操作を行ったり、何らかの条件が成立したりする等のイベントが発生したときに実行するプログラム（イベント・プロシージャ）をプログラミングして、作成するアプリケーション・プログラム中に含めておくことができる。時間軸表示プログラムは、起動時、メニュー部４において時間軸表示フォーム２の表示数が増やされたとき、メニュー部４において時間軸表示フォーム２の種類が変更されたとき、最小化された時間軸表示フォーム２を元に戻す操作が行われたとき、時間軸表示フォーム２を移動する操作が行われたとき、時間軸表示フォーム２の大きさを変更する（すなわち、伸縮する）操作が行われたとき、及び、所定時間（ここでは、0.1秒）毎に、後述するイベント・プロシージャ（時間軸表示処理）を実行するように構成されている。
【００３２】
Ｗｅｂブラウザは、Internet Explorer（マイクロソフト社の商標又は登録商標）であり、記憶装置１３に記憶されている。装置１は、Ｗｅｂブラウザに従って動作することにより、上記受信手段及び上記価格情報表示手段として機能する。
【００３３】
以上のように構成された装置１の動作について、次に説明する。
【００３４】
ユーザがＷｅｂブラウザを起動して、株価配信サーバ９にアクセスし、ある銘柄（ここでは、「××株式会社」とする。）の株価情報を要求すると、株価配信サーバ９は、要求された株価情報を含むＷｅｂページ３（正確には、Ｗｅｂページ３を表示するためのデータ及びプログラム）を送信する。なお、証券会社等の提供する株価情報は、通常、チャートの形で閲覧できるように構成されており、株価配信サーバ９も、株価情報を、時間を横軸とするチャートで表示されるような形式で送信する。
【００３５】
装置１は、インターネットを介して株価配信サーバ９から、株価情報を含むＷｅｂページ３を受信し、表示画面１６に、図３に示すようなチャート表示部３１と出来高表示部３２と時間表示部３３とを含むＷｅｂページ３を表示する。チャート表示部３１には、受信した株価情報に基づいて、時間を横軸として一日分の株価情報がチャートで表示される。ここでは2011年6月20日の午前10時15分頃に、その日の「××株式会社」の株価情報が要求されたものとする。したがって、図３に示すチャート表示部３１には、その日の取引開始時刻である午前9時から現在時刻である午前10時15分頃までの株価情報がチャートで表示されている。チャート表示部３１におけるチャートは、時間を横軸とし、株価を縦軸として、チャート表示部３１の左端部３１ａが取引開始時刻に対応し、右端部３１ｂが取引終了時刻に対応する。出来高表示部３２は、チャート表示部３１の下方に、チャート表示部３１と時間を合わせて表示される。また、図３に示す株式を取引する株式市場の一日の取引時間は、9時〜11時及び12時30分〜15時であり、出来高表示部３２の下方には、11時〜12時30分を除いた状態で時間を横方向（左右方向）に表示する時間表示部３３が表示されている。
【００３６】
このＷｅｂページ３が表示された状態で、ユーザが時間軸表示プログラムを起動すると、装置１は、図４に示すように、メニュー部４を表示画面１６に表示し、メニュー部４においてデフォルト（初期値）とされている地域及び期間（ここでは、「日本」及び「一日」）に応じた時間軸表示フォーム２を、表示画面１６に表示する。Ｗｅｂページ３、時間軸表示フォーム２、及び、メニュー部４は、それぞれ別ウィンドウであるので、Windowsの機能により互いに重ねて表示可能であり、図３に示すようにＷｅｂページ３が全画面に表示された状態で時間軸表示プログラムを起動すると、図４に示すように、Ｗｅｂページ３の手前に重ねて時間軸表示フォーム２及びメニュー部４が表示される。また、上述したように時間軸表示フォーム２の標識表示部２１の背景色は透明とされているので、標識表示部２１を通して、その背後が視認可能であり、図４では、標識表示部２１の背後にチャート表示部３１があるので、標識表示部２１を通してチャート表示部３１を視認可能である。但し、時間軸表示プログラムを起動することにより標識表示部２１が表示されたとき、図４に示すように、必ずしも、標識表示部２１の左端部２１ａの位置と、チャート表示部３１の左端部３１ａの位置とが、一致しているとは限らない。
【００３７】
なお、Internet Explorerが起動されてＷｅｂページ３を表示可能な状態ではタスクバー１７が、時間軸表示プログラムが起動されて時間軸表示フォーム２を表示可能な状態ではタスクバー１８が、Windowsの機能により表示画面１６上に表示される。そして、タスクバー１７がクリックされると、Ｗｅｂページ３が時間軸表示フォーム２の手前に表示され、タスクバー１８がクリックされると、時間軸表示フォーム２がＷｅｂページ３の手前に表示される。また、時間軸表示フォーム２のボタン２８がクリックされて、時間軸表示フォーム２が最小化（非表示）とされたとき、タスクバー１８をクリックすれば、時間軸表示フォーム２は最小化される前の大きさで再表示される。
【００３８】
時間軸表示フォーム２には、標識表示部２１が設けられ、標識表示部２１には、時間の直接の表示はないが、時間を横軸として、価格反転時期を示す標識２４と、現在時刻を示すライン２５とが表示されている。なお、「時間を横軸として」とは、「時間を横方向と考えて」という意であり、必ずしも標識表示部２１に時間軸を表示する必要はない。
【００３９】
詳しくは、標識表示部２１には、時間を横軸として、標識表示部２１の左端部２１ａを期間選択部４４で選択された期間（ここでは、一日、すなわち、9時〜11時及び12時30分〜15時とする。）における取引開始時刻、右端部２１ｂを同期間における取引終了時刻とし、同期間内における価格反転時期を示す上下一対の三角形からなる複数の標識２４（区別のために、図２，４に示すように時期の早い順に、２４ａ、２４ｂ、…と符号を付する。）と、現在時刻を示す赤色のライン２５とが表示される。価格反転時期は一日の中で複数回存在し、銘柄に拠らず各価格反転時期は固定であって、それらの価格反転時期に対応する位置に、それぞれ標識２４が表示される。なお、図中、ライン２５は破線で示す。また、現在時刻が経過した価格反転時期を示す（図中、ライン２５よりも左方にある）標識２４ａ、２４ｂ、２４ｃは、黒色で表示されるとともに、上下の三角形が灰色のライン２６で結ばれ、現在時刻がまだ経過していない価格反転時期の中で現在時刻に最も近い標識２４ｄは、上の三角形が赤色、下の三角形が青色で表示されるとともに、さらに現在時刻の１分以内に存在するときは点滅表示され、それ以外の標識２４ｅ、２４ｆ、２４ｇ、２４ｈ、２４ｉ、２４ｊ、２４ｋ、２４ｌ、２４ｍ、２４ｎ、２４ｏは、黄色で表示される。
【００４０】
また、標識表示部２１には、上端部と下端部とに配置された互いに色の異なる上下一対のバー（横長の矩形）からなる標識２７が表示されている。標識２７は、前場での最安値圏（すなわち、最安値を付けることが多い時間帯）と最高値圏（すなわち、最高値を付けることが多い時間帯）を示すものであり、取引開始値が上下どちらの標識２７近くからスタートするかで、以後の株価の方向性（すなわち、上昇するか下降するか）を推測できるので、取引にエントリーする際のスタンス（すなわち、買いから始めるのか売りから始めるのか）を判断できる。例えば、寄付きが上の標識２７近くからの開始なら次の価格反転時期までは下落すると判断し、下の標識２７近くからの開始なら次の価格反転時期までは上昇すると判断して、ライン２５で示される現在時刻を見ながら、取引を行うことができる。また、標識２７は最安値圏と最高値圏を示すものであるから、利益の確定にも利用できる。なお、午後における最安値圏及び最高値圏を表す標識２７を表示してもよく、一日を通しての最安値圏及び最高値圏を表す標識２７を表示してもよい。
【００４１】
ここで、装置１が標識表示部２１に標識２４等を表示するときの動作について、説明する。上述したように、時間軸表示プログラムは、起動時等に、図５，６に示す流れのイベント・プロシージャである時間軸表示処理を実行するように構成されている。
【００４２】
まず、装置１は、内蔵している時計から現在時刻を取得する（図５のステップＳ０１）。次に、標識表示部２１の現在のサイズに対する現在時刻の座標を計算する（Ｓ０２）。すなわち、標識表示部２１の横幅Ｗを期間選択部４４において選択された期間、標識表示部２１の左端部２１ａを同期間における取引開始時刻として、現在時刻が標識表示部２１中の横方向におけるどの位置に該当するかを計算する。そして、画面描画処理を行う（Ｓ０３）。ここでは、期間選択部４４において選択された期間が「一日」であり、地域選択部４３において選択された地域が「日本」であるものとする。また、装置１が内蔵する時計は、日本時間に設定されているものとする。したがって、地域選択部４３において選択された地域が「日本」であるときは、内蔵する時計から取得した時刻をそのまま現在時刻とするが、「日本」以外の場合には、内蔵する時計から取得した時刻に対し、選択された地域に応じて予め定められている時間を増減することにより、選択された地域における現在時刻を算出する。
【００４３】
画面描画処理では、装置１は、現在時刻に相当する位置にライン２５を描画する（図６のＳ１０１）。なお、ライン２５の上下方向の位置を定めるには、例えば、標識表示部２１の基準の高さと、その基準の高さに対するライン２５の上端点及び下端点の標識表示部２１内での上下方向における座標とを、予め定めておき、基準の高さに対する標識表示部２１の現在の高さＨの比に基づいて、高さＨに対するライン２５の上端点及び下端点の上下方向における座標を算出する等の方法がある。
【００４４】
次に、装置１は、各価格反転時期について、ステップＳ１０２〜Ｓ１０９の処理を行う。ここで、各価格反転時期は時期（時刻）が定まっているので、その時刻を図６では「所定時刻」と表記し、図６に基づく以下の説明においても「所定時刻」という。時間軸表示プログラムは各所定時刻を固定値として有しており（すなわち、装置１は、各所定時刻を記憶部１３に記憶しており）、装置１は、所定時刻の数（ここでは、１５）だけ、ステップＳ１０２〜Ｓ１０９の処理を行う。なお、各所定時刻をどの順で処理するかは任意であるが、ここでは、時刻の早い順に処理するものとする。まず、装置１は、現在時刻が最初の所定時刻、すなわち、標識２４ａで示される所定時刻を過ぎているか否かを判定する（Ｓ１０２）。そして、過ぎていればステップＳ１０３に進み、過ぎていなければステップＳ１０５に進む。図２，４の例では、現在時刻は標識２４ａで示される所定時刻を過ぎているので、ステップＳ１０３に進んで、その所定時刻の位置に、上下一対の黒の三角形からなる標識２４ａを描画し、ステップＳ１０４に進んで、その所定時刻の位置に、上下の三角形を連結するように灰色のライン２６を描画する。なお、標識表示部２１における所定時刻の位置は、現在時刻の位置を計算したときと同様にして計算する。そして、ステップＳ１０２に戻り、現在時刻が次の所定時刻、すなわち、標識２４ｂで示される所定時刻を過ぎているか否かを判定する。標識２４ｂ、２４ｃで示される所定時刻については、標識２４ａと同様に、黒の三角形及び灰色のライン２６が描画されることとなる。
【００４５】
次に、現在時刻が標識２４ｄで示される所定時刻を過ぎているか否かを判定したとき（Ｓ１０２）、過ぎていないため、装置１は、ステップＳ１０５に進み、標識２４ｄで示される所定時刻が、現在時刻に最も近い所定時刻か否かを判定する。そして、現在時刻に最も近い所定時刻であるため、ステップＳ１０６に進み、現在時刻がその所定時刻の１分以内であるか否かを判定する。そして、１分以内でなければ、その所定時刻の位置に、上下一対の三角形からなる標識２４ｄを、上の三角形を赤、下の三角形を青として描画する（Ｓ１０７）。一方、１分以内であれば、上の三角形を赤、下の三角形を青として、点滅するように描画する（Ｓ１０８）。なお、点滅させる方法としては、例えば、時間軸表示処理は0.1秒毎に実行されるので、前回の時間軸表示処理で描画したか否かの情報を保存しておき、前回描画したら、今回は描画せず、前回描画していなかったら、今回は描画する等の方法がある。
【００４６】
また、図５，６には示されていないが、装置１は、ステップＳ１０５でＹＥＳと判断された所定時刻（図２，４の例では標識２４ｄで示される所定時刻）については、現在時刻からその所定時刻までの時間を計算し、カウントダウン部４２に表示する。
【００４７】
次に、装置１は、標識２４ｅで示される所定時刻については、現在時刻がその所定時刻を過ぎていないと判定し（Ｓ１０２）、現在時刻に最も近い所定時刻でもないと判定して（Ｓ１０５）、ステップＳ１０９に進む。ステップＳ１０９では、装置１は、その所定時刻の位置に、上下一対の三角形からなる標識２４ｅを黄色で描画する（Ｓ１０７）。標識２４ｆ、２４ｇ、２４ｈ、２４ｉ、２４ｊ、２４ｋ、２４ｌ、２４ｍ、２４ｎ、２４ｏで示される所定時刻についても、標識２４ｅと同様に、黄色の三角形が描画されることとなる。
【００４８】
なお、図５，６には示されていないが、時間軸表示プログラムは、前場における最安値圏及び最高値圏について、それぞれ、開始時刻と、終了時刻又は時間（長さ）とを、固定値として有しており（すなわち、装置１は、それらの固定値を記憶部１３に記憶しており）、装置１は、それらの固定値を用いて、各標識２７を標識表示部２１に表示する。
【００４９】
装置１は、時間軸表示プログラムで設定されたタイマーを用いることにより、0.1秒毎に、図５，６に示す時間軸表示処理を実行するため、時間軸表示フォーム２は0.1秒毎に更新されて、ユーザには連続して表示されているように視認されるとともに、現在時刻を示すライン２５は刻々と右方向に移動する。そして、現在時刻が経過した標識２４は、黒色で表示されるとともに、上下の三角形が灰色のライン２６で結ばれ、現在時刻が経過していない標識２４のうち、現在時刻に最も近い標識２４は、上の三角形が赤色、下の三角形が青色で表示されるとともに、さらに現在時刻の１分以内になると点滅表示され、それ以外の標識２４は、黄色で表示されることとなる。また、現在時刻から現在時刻よりも後であって現在時刻に最も近い標識２４で示される価格反転時期までの時間が、カウントダウン部４２に表示されることにより、次の価格反転時期までのカウントダウンがなされることとなる。
【００５０】
また、上述したように、時間軸表示フォーム２は、ユーザが所定の操作を行うことにより、表示画面１６上で移動可能である。詳しくは、マウス等のポインティング・デバイスを操作することにより、ポインタを時間軸表示フォーム２の上部の所定範囲に配置して左クリックし、ドラッグアンドドロップすることにより、時間軸表示フォーム２は表示画面１６上で移動できる。この機能はWindowsで表示されるウィンドウの基本的機能であり周知であるため、装置１がこの機能を如何にして実現しているかについては説明を省略する。
【００５１】
このように時間軸表示フォーム２を移動させることにより、標識表示部２１の表示画面１６における表示位置が変更される。したがって、図４に示すように、標識表示部２１の左端部２１ａの位置と、チャート表示部３１の左端部３１ａの位置とが、一致していないとき、時間軸表示フォーム２を移動して、図７に示すように略一致させることができ、チャート表示部３１における取引開始時刻を示す位置と、標識表示部２１における取引開始時刻を示す位置とを略一致させることができる。なお、左端部２１ａと左端部３１ａの位置を、完全に一致させることも、勿論可能である。時間軸表示フォーム２が移動されたときも、装置１は、上述した時間軸表示処理を実行する。
【００５２】
さらに、上述したように、時間軸表示フォーム２は、ユーザが所定の操作を行うことにより、表示画面１６上でサイズを変更可能である。詳しくは、マウス等のポインティング・デバイスを操作することにより、ポインタを時間軸表示フォーム２の左端部又は右端部に配置して、左右方向の矢印が表示された状態で左クリックし、ドラッグアンドドロップすることにより、左右の幅が伸縮される。また、ポインタを時間軸表示フォーム２の上端部又は下端部に配置して、上下方向の矢印が表示された状態で左クリックし、ドラッグアンドドロップすることにより、上下の幅が伸縮される。さらに、ポインタを時間軸表示フォーム２の四隅のいずれかに配置して、斜め方向の矢印が表示された状態で左クリックし、ドラッグアンドドロップすることにより、上下の幅と左右の幅が同率で伸縮される。この機能もWindowsで表示されるウィンドウの基本的機能であり周知であるため、装置１がこの機能を如何にして実現しているかについては説明を省略する。
【００５３】
このように時間軸表示フォーム２のサイズを伸縮（拡大・縮小）することにより、標識表示部２１の表示画面１６におけるサイズ（横幅Ｗ及び高さＨ）も伸縮される。したがって、図７に示すように、標識表示部２１の左端部２１ａの位置と、チャート表示部３１の左端部３１ａの位置とは、一致しているが、標識表示部２１の右端部２１ｂの位置と、チャート表示部３１の右端部３１ｂの位置とが、一致していないとき、時間軸表示フォーム２を伸縮して、図８に示すように略一致させることができ、チャート表示部３１における取引終了時刻を示す位置と、標識表示部２１における取引終了時刻を示す位置とを略一致させることができる。図８では、図７の状態から時間軸表示フォーム２の横幅Ｗを拡大し、高さＨを縮小している。なお、右端部２１ｂと右端部３１ｂの位置を、完全に一致させることも、勿論可能である。時間軸表示フォーム２のサイズが変更されたときも、装置１は、上述した時間軸表示処理を実行する。
【００５４】
なお、標識表示部２１の表示位置を変更しただけでは、標識２４同士の間隔、及び、標識２７の横の長さは変化しないが、標識表示部２１の横幅Ｗを伸縮した場合には、その伸縮率と同じ伸縮率で、標識２４同士の間隔、及び、標識２７の横の長さが伸縮される。
【００５５】
図８の状態から時間が経過して、現在時刻が標識２４ｄで示される価格反転時期を過ぎると、装置１は、図９に示すように、標識２４ａ、２４ｂ、２４ｃに加えて、標識２４ｄを構成する上下の三角形を黒色で表示するとともにそれらの三角形間にライン２６を表示する。そして、現在時刻より後であって現在時刻に最も近い標識２４ｅを構成する上の三角形を赤色、下の三角形を青色で表示し、標識２４ｅより右方の標識２４は黄色で表示する。そして、現在時刻から標識２４ｅで示される価格反転時期までの時間を、カウントダウン部４２に表示する。図９は、現在時刻が10時23分頃の状態を示す。
【００５６】
図１０に、図９の状態からさらに時間が経過して、その日の取引が終了したときの状態を示す。この状態では、全ての標識２４について、上下の三角形が黒色で表示されるとともに、上下の三角形間にライン２６が表示されている。また、ライン２５は表示されていない。
【００５７】
次に、時間軸表示フォーム２の複数表示及び期間の変更について、説明する。
【００５８】
ユーザがメニュー部４の表示数選択部４０において時間軸表示フォーム２の表示数を増加したとき、装置１は、表示数の増加数に応じて、メニュー部４の種類設定部４１を増加するとともに、上述した時間軸表示処理を行って別個の時間軸表示フォーム２を表示することにより、表示画面１６に表示する時間軸表示フォーム２を増加する。図１２に、時間軸表示フォーム２を２つ表示した状態を示す。なお、種類設定部４１に表示されるタイトル「時間軸表示１」、「時間軸表示２」等は、時間軸表示フォーム２の上端部に表示されるタイトルに対応しており、タイトルにより種類設定部４１と時間軸表示フォーム２とが対応付けられる。
【００５９】
また、ユーザがメニュー部４の期間選択部４４において期間を変更したとき、装置１は、上述した時間軸表示処理を行うことにより、表示されている時間軸表示フォーム２を、変更後の期間に応じた時間軸表示フォーム２に変更する。したがって、例えば、期間を「一日」から「午前」に変更すると、標識表示部２１は、左端部２１ａが前場の取引開始時刻に相当し、右端部２１ｂが前場の取引終了時刻に相当し、横幅Ｗが前場の取引時間に相当して、標識２４のうち標識２４ａ、２４ｂ、２４ｃ、２４ｄ、２４ｅのみを表示するものに変更される。図１２においてタイトル「時間軸表示１」が付された時間軸表示フォーム２は、期間を「午前」としたものである。
【００６０】
以上説明したように、装置１によれば、価格反転時期を示す標識２４が表示された標識表示部２１を通して、株価のチャートを視認できるため、あたかもチャートに標識２４を貼り付けたように見えて、価格反転時期が分かり易く、売買タイミングを容易に判断できる。例えば、ユーザは、寄付きが高値で始まれば、次の価格反転時期までは株価が下落してから上昇に転じ、その次の価格反転時期には株価が上昇から下落に転じると推測でき、逆に、寄付きが安値で始まれば、次の価格反転時期までは株価が上昇してから下落に転じ、その次の価格反転時期には株価が下落から上昇に転じると推測できるので、売買タイミングを容易に知ることができる。なお、図中の株価のチャートは例示であり、実際とは異なるので、必ずしも反転時期が当て嵌まってはいない。
【００６１】
そして、装置１によれば、知見により導き出された時間軸上での価格反転時期（すなわち、反転ポイント）が、証券会社から配信されたチャート上に重ねられた標識表示部２１に、標識２４により予め表示されており、かかる標識表示部２１内を現在時刻を示すガイドラインとしてのライン２５が時間軸を軌道として移動するため、リアルタイムで動く１分足等の株価と、ライン２５とが、同時に反転ポイントに到着したことを以って売買の判断をすることが可能となる。
【００６２】
また、株価のチャートが表示されるチャート表示部３１の幅や高さ、表示画面１６における表示位置は、配信元である証券会社によって様々であり、同じ証券会社でも銘柄によってそれらが異なる場合もある。装置１では、標識表示部２１の大きさや表示位置を変更することができるので、標識表示部２１を、その大きさや表示位置を変更することにより、任意のチャート表示部３１に、左端部２１ａ、３１ａ同士、右端部２１ｂ、３１ｂ同士が一致するように重ね合わせることができる。したがって、チャート表示部３１における時間軸と標識表示部２１における時間軸を一致させた状態で、標識表示部２１を通してチャート表示部３１を視認することができ、時期の見誤りを防止することができる。
【００６３】
また、カウントダウン部４２におけるカウントダウンや、ライン２５の移動、標識２４を構成する三角形の色の変化や点滅により、次の価格反転時期が迫っていることに、ユーザの注意を向けることができ、時期の看過を防止することができる。
【００６４】
また、標識表示部２１には利益確定に適した時期を示す標識２７も表示されるので、価格反転時期だけでは利益確定時期を把握し難い初心者のユーザであっても、例えば、寄付きが安値で始まれば、最初の標識２７が表示されている時間帯が、株価の山（最高値圏）となり、次の標識２７が表示されている時間帯が、株価の谷（最安値圏）となる、というように株価の大きな動きが分かるので、これらの時間帯に売買することにより利益を確定できる。しかも、標識２７はピンポイントではなく時間的に幅を持っているので、ユーザが売買に利用し易い。
【００６５】
さらに、１つの表示画面１６に、時間軸表示フォーム２を複数表示可能、すなわち、標識表示部２１を複数表示可能であるので、１つの表示画面１６に複数の銘柄のチャートを表示させてそれぞれの銘柄について売買するときに、それぞれのチャートに標識表示部２１を重ねることができる。
【００６６】
また、期間選択部４４において期間を選択可能であり、その選択された期間に応じた標識表示部２１が表示されるので、例えば前場のみの取引に用いたい場合や、複数の標識表示部２１を表示させることにより表示領域が制約される場合等に便利である。
【００６７】
また、地域選択部４３において地域を選択可能であり、その選択された地域における現在時刻を用いて、標識表示部２１におけるライン２５等が表示されるので、ユーザの所在地域以外の地域における取引にも対応可能であり、標識表示部２１を２つ表示させて、一方は日本、他方は香港とする等、複数地域における取引にも対応可能である。
【００６８】
なお、装置１は、株式以外の投機対象にも適用可能であり、また、任意の期間における取引にも適用可能である。そして、任意の投機対象及び任意の期間に対して共通の時間軸表示フォーム２を用いることとしてもよいが、投機対象別に時間軸表示フォーム２を設けたり、適用期間別に時間軸表示フォーム２を設けたりしてもよい。投機対象別に時間軸表示フォーム２を設ける場合、種類設定部４１において投機対象の種類を選択させるようにしてもよい。また、地域選択部４３で選択可能な地域別に、時間軸表示フォーム２を設けてもよい。
【００６９】
また、標識２４の形状や色は上述したものに限らず、ユーザが時期を知得可能なものであればよい。標識２７を表示するか否かや、その形状や色、ライン２５、２６を表示するか否かや色等も、任意に変更可能である。また、現在時刻を示す標識は必ずしもライン２５のような線状でなくてもよく、現在時刻を示す標識を表示しないこととしてもよいが、現在時刻を示す標識を標識表示部２１に表示すれば、現在時刻から次の価格反転時期まで時間的に余裕があるのか否か等、現在時刻と価格反転時期との関係が視覚的に分かり易くなって好ましい。
【００７０】
また、標識表示部２１を重ねる画像は、必ずしもチャートでなくてもよいが、時間を横軸として投機対象の価格の動向を示すものであることが、売買タイミングの判断のためには好ましい。
【００７１】
また、上記実施形態では、汎用的なＷｅｂブラウザを用いて証券会社のサイトにアクセスして価格情報を受信し、チャートを表示する例を示したが、Ｗｅｂブラウザではなく、例えば、株式会社ＳＢＩ証券が提供するソフトウェア「ハイパーＳＢＩ」（商標又は登録商標）等、専用ソフトを用いて価格情報を受信し、チャートで表示することとしてもよい。
【００７２】
さらに、現在時刻の取得を、内蔵する時計からではなく、現在時刻を提供するＷｅｂサーバから取得することとしてもよい。すなわち、時間軸表示プログラム中に、そのようなＷｅｂサーバからインターネットを介して現在時刻を取得するプログラムを含めておき、装置１が、そのようなＷｅｂサーバからインターネットを介して現在時刻を取得するようにしてもよい。そうすれば、正確な時刻が得られるからであり、また、そのようなＷｅｂサーバには、日本標準時を提供するもののみならず、世界各地の標準時を提供するものもあるため、日本以外の地域の現在時刻も計算の必要なく取得できるからである。
【００７３】
また、時間軸表示フォーム２の複数表示を可能にするか否かや、地域選択部４３を設けて地域を選択可能にするか否か、期間選択部４４を設けて期間を選択可能にするか否か、カウントダウン部４２を設けるか否か等も、適宜変更可能である。
【符号の説明】
【００７４】
１…装置
１６…表示画面
２１…標識表示部
２４…標識
３１…チャート表示部
【図１】
0005731333.tif 000002
【図２】
0005731333.tif 000003
【図３】
0005731333.tif 000004
【図４】
0005731333.tif 000005
【図５】
0005731333.tif 000006
【図６】
0005731333.tif 000007
【図７】
0005731333.tif 000008
【図８】
0005731333.tif 000009
【図９】
0005731333.tif 000010
【図１０】
0005731333.tif 000011
【図１１】
0005731333.tif 000012
【図１２】
0005731333.tif 000013